(57)【要約】      （修正有）【課題】下記５項目からなる課題を解決するくさび効果型向合い把持具及びそれを使った自在把持用具を提供する。１把持力の向上、２大量生産への対応、３肌への干渉、４ストッパの耐久性の向上、５くさび効果型向合い把持具の展開。【解決手段】１；１）挟持部の数を増加、２）挟持体のテーパの狭くなった端部を向合せに配置、３）全ストッパをストッパ留めを使いひもで固定、４）引張力をストッパにかけ、挟持力に換える、５）引張力を挟持体にかける、６）分厚い鉄製台座に挟持部を固定、７）両面テープからビス止めへ代える２；１）挟持体のプレス一体成型、２）射出成型、３）挟持体のモジュール化とモジュラーデザイン３；１）アルミ外装の装着、２）保護層の設置４；１）ストッパエッジ保護層、２）ストッパ材質・厚み変更、５；１）引張力をストッパにかける・両端、片端、４箇所に把持具、２）引張力を挟持体にかける自在把持用具側に挟持体配置。【選択図】図１
2019193758.tif 000002
【特許請求の範囲】
【請求項１】
入り口から端部にかけて天井がテーパ状に狭くなる挟持体とストッパ、接続部、ストッパ留め、ひもから構成され、全ての挟持体のテーパの狭くなった端部が、互いに向き合うように配置されることを特徴とするくさび効果型向合い把持具。
【請求項２】
特許請求項1に於いて、挟持部とストッパ部でシート材が挟持された時、ストッパの位置が固定されることを特徴とするくさび効果型向合い把持具。
【請求項３】
特許請求項1のくさび効果型向合い把持具を備えることを特徴とする自在把持用具。
【請求項４】
特許請求項3に於いて、引張力をストッパへ伝える構成であることを特徴とする自在把持用具。
【請求項５】
特許請求項3に於いて、引張力を挟持体へ伝える構成であることを特徴とする自在把持用具。
【請求項６】
特許請求項1に於いて、ストッパのエッジ全体を保護層で覆うことを特徴とするくさび効果型向合い把持具。
【請求項７】
特許請求項1に於いて、挟持体の外装を保護層で覆うことを特徴とするくさび効果型向合い把持具。
【発明の詳細な説明】
【技術分野】
【０００１】
本提案は、主に布などのシート状のものに係止するための把持具であって、そのシート状物に穴をあけずに、留めることができる把持具とそれを使った自在把持用具に関する。
【背景技術】
【０００２】
服の生地などのシート状物に物品を係止するためには、安全ピンや虫ピンなどといった針を刺してとどめる方法が一般的に採用されている。この場合、生地などに針を刺すことによって、幾分なりとも生地を傷つけることになる。
【０００３】
名札などのように毎日同じ位置に安全ピンで取り付けていると、簡単に穴が大きくなってしまう。絹布などの弱い生地の場合、名札のように繰り返しでないにせよ、正札を一度取り付けただけで微細な傷がついてしまうと商品価値が一気に落ちてしまう。
【０００４】
このような問題を解決し、針を刺すことなく洋服に名札などを取り付けるものとして特許文献1、特許文献2で「把持具」が提案されている。これはそれ以前に提案されていた「バッジ」形態の把持具では実現できなかった「取り付けやすくて、外れにくい」という形態を実現せしめたものである。
【０００５】
また特許文献3には本出願人が開示した、くさび効果型把持具が紹介されている。これは8.5Kg重までのランタンや電動ドライバー等の重量物をテントの布や作業服に穴を開けずに留める事が出きる物である。
【０００６】
ここで、くさび効果型把持具は把持力にくさび効果を用いているので従来の把持力と区別するため、以降必要に応じてくさび効果に起因する把持力を、挟持力と呼ぶことにする。
【先行技術文献】
【特許文献】
【０００７】
【特許文献１】実用新案登録第3132847号
【特許文献２】特願2009-514035
【特許文献３】実用新案登録第3211560号
【特許文献４】特願2018-001536
【発明の概要】
【発明が解決しようとする課題】
【０００８】
本提案は、下記に示す5項目からなる課題を解決する、くさび効果型向合い把持具及びそれを使った自在把持用具を実現するものである。
1；把持力の向上
2；把持具の大量生産への対応
3；肌への干渉
4；ストッパの耐久性の向上
5；くさび効果型向合い把持具の展開
1〜5項目からなる課題の詳細な内容を以下に説明する
【０００９】
1；把持力の向上
近年は1Kg重のランタンや3Kg重の電動ドライバー等よりもさらに重いものを運搬したいという要望が高まってきた。具体的には20Kg重のバッグを背負う場合や、60Kg重の人の運搬等である。
【００１０】
そこで図41に示すはかりを用い、それぞれの把持力を測定した。4ははかりを、5はそれぞれの把持具に接続するためのSカンである。このはかり4を用い、絹布にセットされた把持具にSカン5を接続し、はかり4を引っ張ることにより、それぞれの把持力を測定した。
【００１１】
図43は特許文献1の把持具、商品名「開かずピンちゃん2」の把持力を計測する場合を示している。600は商品名「開かずピンちゃん2」 を示し、601はストッパーで、 602のボタンとその下の603の棒から構成されている。更にボタン602と棒603は樹脂で一体成型されている。604は内側ケース、605は外側ケース、606、607はボタン602にひも1を通すための穴。608は穴607に通したひも1を固定するためのカシメである。609と610は外側と内側ケースに取り付けられたストッパ脱落防止部である。
【００１２】
611はばねであり、内側ケース604と外側ケース605は親指と人差し指で押されると内側ケース604が図の上下にスライドする構造になっている。その結果、内側ケース604と一緒にスライドしてきた棒603は、ストッパ脱落防止部609と610の距離が棒603の長さより大きくなったとき、内側ケース604から出し入れ可能となる。また613はリングで612のかしめでひも1にしっかりと固定されている。
【００１３】
布の中央部分に商品名「開かずピンちゃん2」 600をセットし、リング613にSカン5をひっかけ、はかり4で図の下方向に引っ張ることで把持力を測定した。
【００１４】
図44は把持力の測定方法を示す図である。50は絹布3の端部固定治具である。51、53は木製のガイドであり、長さ×厚さ×高さは300mm×10mm×30mmである。52、54はゴム板で長さ×厚さ×高さは300mm×2mm×30mmであり、ガイド51、53に両面テープ（不図示）でしっかりと接着されている。2つのガイドはゴム面が向かい合う配置となっており、55と56は2つのガイドと布を密着させ、布の端部をしっかり固定するための締付け用ねじである。
【００１５】
3は1辺30cmの正方形で、厚さが300μmの絹布である。
【００１６】
ちなみに、端部固定治具50の代わりに、左手だけで絹布3を挟んで固定し把持力、挟持力を測定しても値はほとんど変わらなかった。
【００１７】
上記のような構成になっているで、絹布3の上辺を端部固定治具50に固定し、絹布3の中央部分に商品名「開かずピンちゃん2」 600をセットし、Sカン5を介してリング613をはかり4で図の下側に引っ張ることで把持力を測定した。
【００１８】
その結果、図のように絹布3の端部固定治具50と把持具のストッパーの棒603の可動方向が直角となる様にセットして、はかり4で図の下側に引いた場合、380g重の印加で把持具600は絹布3から外れた。
【００１９】
次いで、把持具600のストッパーの棒603の移動方向が絹布の端部固定治具50と平行になる様にセットした（不図示）。この場合、ひも1は穴606を通した後、かしめ608でしっかりと固定しなおして測定した。その結果、3.1Kg重印加した時にストッパーの棒603が外れ、把持具600は絹布3からはずれた。
【００２０】
このとき、上記の両方の場合において、絹布3に、ほつれや破れは発生しなかった。
【００２１】
次いで図45に示すように特許文献2の把持具の把持力を同じ方法で計測した。650は商品名「開かずピンちゃん」、651はストッパーのボタン、652はボタン651を把持具650に出し入れする時の勘合部である。ボタン651の穴にひも1を通し、固定し、ひも1の反対側はリング613に固定した。 Sカン5を介してリング613をはかり4で図の下側に引っ張ることで把持力を測定した。矢印Aは把持具650の勘合部652の可動方向を示す。
【００２２】
図に示すような配置で、嵌入部652の可動方向が端部固定治具50と直角となる様にセットして、はかり4で図の下側に引いた場合、4Kg重の印加で把持具650は絹布3から外れた。この時、絹布にはほつれと少しの破れが発生した。
【００２３】
さらに矢印Aで示す嵌入部652の可動方向が端部固定治具50と平行となる様にセット（不図示）して、はかり4で図の下側に引いた。その結果1.2Kg重を印加した時に、把持具は絹布の把持位置から移動を初め、そのまま絹布の端部から出てしまった。この時、絹布にほつれや破れは発生しなかった。
【００２４】
図46は本出願人が特許文献3の実用新案登録第3211560号で開示した把持具の挟持力の測定方法を示す図である。700はくさび効果型把持具、750はストッパである。751はリングで、ひも1を介してストッパ750とつながっている。
【００２５】
上記の場合において、Sカン5をリング751に引っ掛け、はかり4を図の下側に引き、挟持力を測定した。
【００２６】
その結果、8.5Kg重で突然アルミのストッパー750が中央で折れ曲がり把持具700から外れ、把持具は絹布から外れた。この時、絹布3を確認したが、ほつれや破れはまったくなく、変化は認められなかった。
【００２７】
これらの結果から明らかように、従来の「把持具」では「名札」や「電動ドライバー」等であれば衣服やシートの望む場所に固定することができる。しかし、携帯電話、タブレット端末、LEDランタンや電動ドライバー等よりも更に重いバッグ、リュック、人間等のより重いものを衣類やシートに穴をあけることなく、希望の位置にしっかりと取り付けたり、運ぶことは出来ないという課題があった。
【００２８】
2；把持具の大量生産への対応
本提案の把持具を作成した場合、従来の把持具の構成に比べかなり複雑になる。しかも、必要な把持力に合わせた把持具を作成するとなるとその組み合わせも膨大なものになる。更にそれらの把持具を大量に安価に作成するには、従来の1個つずつの製造方法では対応が追いつかないという課題があった。
【００２９】
3；肌への干渉
把持具が直接肌に触れる場合、圧迫痕や引っかき傷が発生する等の課題があったが、これは本出願人が特許文献4の特願2018-001536で開示した、把持部に外装を設けるという方法が絶大な効果をもたらした。本出願では、それに加え更なる改善策を開示するものである。
【００３０】
4；ストッパの耐久性の向上
ストッパに関しては本出願人が特許文献3で開示した、直径18.0mm、厚さ0.33mmのアルミ材で出来たストッパは、布への食いつきもよく、布に傷をつける前に、ストッパが変形して挟持部からはずれるというすぐれた特性を持っている。本提案ではストッパの更なる改善案を開示する。
【００３１】
5；くさび効果型向合い把持具の展開
布の任意の場所に於いて、穴を開けずに、傷さえもつけずに把持できると言う事は、使い方も必ず多岐にわたるはずである。その結果、多くの人々の暮らしの役に立つものと考えられる。そこで思いつく限りの実施例を本提案で開示する。
【課題を解決するための手段】
【００３２】
1；「把持力の向上」の課題に対しては以下の手段をとった
1）挟持部の数を増加
2）挟持体のテーパの狭くなった端部を向合せに配置
3）挟持部とストッパ部でシート材が挟持された時、ストッパの位置はひもとストッパ留めで固定
4）引張力をストッパにかけ、引張力を挟持力に換える
5）引張力を挟持体にかける
6）分厚い鉄製台座に挟持部を固定
7）両面テープからビス止めへ代える
【００３３】
2；「把持具の大量生産への対応」の課題に対しては以下の手段を採った
1）挟持部のプレス一体成型
2）挟持部の射出成型
3）挟持部のモジュール化とモジュラーデザイン
【００３４】
3；「把持具と肌との干渉」の課題については以下の手段をとった
保護層の設置
【００３５】
4；「ストッパの耐久性の向上」の課題については以下の手段をとった
1）ストッパエッジ保護層
2）ストッパ材質・厚み最適化
【００３６】
5；「くさび効果型向合い把持具の展開」の課題については以下の2項目の手段をとった
1）引張力をストッパにかける
・両端に把持具
・片端に把持具
・4箇所に把持具
2）引張力を挟持体にかける
自在把持用具側に挟持体配置
【発明の効果】
【００３７】
1；「把持力の向上」に対しては以下の効果があった
挟持部の数や、配置方向、固定方法等を検討した結果、同じ布に対して、より大きな把持力を得る事が可能になった。
【００３８】
2；「把持具の大量生産への対応」に対しては以下の効果があった
挟持部の成型方法の多様化やモジュール化で大量生産に対応出来るようになった。
【００３９】
3；「把持具と肌との干渉」に対しては以下の効果があった
把持具と肌の間に保護層を配置することで、干渉の課題を解決する事が出来た。
【００４０】
4；「ストッパの耐久性の向上」に対しては以下の効果があった
ストッパの構成や材質を検討した結果、耐久性を更に向上させることが出来た。
【００４１】
5；「くさび効果型向合い把持具の展開」に対しては以下の効果があった
・自在把持用具の2端、4端、1端に挟持部を配置し、引張力をストッパにかけることで、担架、リュック、天子の羽、搬送ツールの提案を開示する事が出来た
・挟持体に引張力をかける、くさび効果型向合い把持具の開示をする事が出来た
【００４２】
本提案は穴を開けることが認められない宇宙服、潜水服、防護服等に後から重量物を係止したい場合などに利用することができるという効果もある。
【図面の簡単な説明】
【００４３】
【図１】持ち手のない布袋に自在把持用具を取り付けた場合の全体図
【図２】本提案の自在把持用具の2個向合い把持具の一実施例の挟持部とストッパ部を示す全体図
【図３】2個向合い把持具の平面図、正面図、側面図
【図４】2個向合い把持具の図3に於けるA-A線断面図
【図５】2個向合い把持具を布に係止する順番を示すときのスタート図
【図６】次いでストッパを挟持部に挟むことを示す図
【図７】次に、反対側のストッパを挟持部に挟むことを示す図
【図８】最後にひもとストッパ留めでストッパ同士を固定する図
【図９】ベルトの両端に2個向合い把持具を配置した全体図
【図１０】持ち手のない布袋に自在把持用具を取り付け、それを肩にかけたときの図
【図１１】ストッパを係止するその他の方法を示す図
【図１２】向合い把持具が3つの挟持体から構成されているときの平面図、正面図、側面図
【図１３】プレス成型で4個、5個向合い把持具を作った場合を示す図
【図１４】3個の個別の挟持体を一枚の鉄製台座の上に固定し、向合い把持具を作成した場合の平面図、正面図、側面図
【図１５】挟持体がねじで鉄製台座に取り付けられている様子を示す平面図、正面図、側面図
【図１６】図15のA-A線断面図
【図１７】3種類の挟持体のモジュール
【図１８】モジュラーデザインで作成した4個向合い把持具
【図１９】向合い把持具が一枚の鉄製台座の上に乗せられ、固定された4個および5個の挟持体から構成されているときの平面図を示す
【図２０】向合い把持具が2つの挟持体から構成されているときに外装を設置した場合の平面図、正面図、側面図
【図２１】図20の外装付き2個向合い把持具に於けるA-A線断面図
【図２２】外装付き向合い把持具が一枚の鉄製台座の上に乗せられ、固定された3、4および5個の挟持体から構成されているときの平面図
【図２３】フェルト等の保護層で覆われた向合い把持具が2つの把持体から構成されているときの平面図、正面図、側面図
【図２４】図23に於けるA-A線断面図
【図２５】向合い把持具が2つの挟持体から構成されているときに、フェルト等で覆われた外装を設置した場合の平面図、正面図、側面図
【図２６】図25に於けるA-A線断面図
【図２７】ストッパのエッジがむき出しにならないようにカバーで覆った様子を示す平面図、正面図、A-A線断面図
【図２８】ストッパに樹脂材、接続部にピアノ線を用いた様子を示す平面図、正面図、A-A線断面図
【図２９】シーツと両端に向合い把持具が5つの挟持体からなるベルト2本で簡易担架を作り、人を緊急搬送している図
【図３０】両端に向合い把持具が2つの挟持体からなるベルト2本を布袋にセットした図
【図３１】図30の布袋を背負った様子を背面から見た図
【図３２】図30の布袋を背負った様子を側面から見た図
【図３３】図30の向合い把持具の挟持部のつながりを示す図
【図３４】2つの挟持部から構成されている向合い把持具が輪状のベルト端部に接続した構成の自在把持用具と風呂敷を示す図
【図３５】図34の自在把持用具と風呂敷でボーリングの玉を包んだ様子を示す図
【図３６】天子の羽セットを背負ったときの背面図
【図３７】図36の接続部分の拡大図
【図３８】図36の側面図
【図３９】自在把持用具でシートを持ち上げているところを示す図
【図４０】挟持体が2、3、4個の場合の向合い把持具と自在把持用具を示す図
【図４１】把持力測定用はかりを示す図
【図４２】本発明の2個向合い把持具の挟持力の側定例
【図４３】従来の把持具を使って把持力を測定する方法の説明図、布なしの場合
【図４４】従来の把持具を使って把持力を測定する方法の説明図、布ありの場合
【図４５】従来のその他の把持具を使って把持力を測定する方法の説明図
【図４６】本発明者が既に開示した把持具を使って挟持力を測定する方法の説明図
【図４７】引張力や挟持力などと把持具の関係図
【図４８】挟持力、最大挟持力と引張力の関係図
【実施例】
【００４４】
以下、添付図面に従って実施例を説明する。図1は本提案のくさび効果型向合い把持具とそれを使い、引張力をストッパへ伝える構成であることを特徴とする自在把持用具の実施例である。
【００４５】
1300は本実施例の全体図である。1000はくさび効果型向合い把持具であるところの2個向合い把持具、1201は両端に2個向合い把持具1000を配置した自在把持用具であるところの自在把持ベルト、1301は持ち手のない布の袋である。
【００４６】
図2は本提案の2個向合い把持具の全体図を示す。本実施例は、本発明人が実用新案登録第3211560号で開示したテーパ部を持つ挟持体の細くなった部分が向き合うように配置して一体化したものである。これにひもで連結された、2個のストッパが布を挟み込むことで、布を把持する場所が複数箇所になり、力が分散され、より大きな引張力に耐える事ができるようになる。
【００４７】
また、ひも1に大きな引張力が印加されればされる程、ストッパは挟持体の狭くなる方向に向かって引かれることになる。その方向はくさび効果がより大きくなる向きなので、挟持力はより大きくなり、把持はより安定するのである。その結果どの方向から外力が印加されても、2個向合い把持具は布にしっかり固定される。以下図2を用いて詳細に説明する。
【００４８】
ここでテーパとはJIS（日本工業規格）では「投影図又は断面図における相交わる2直線間の相対的な広がりの度合い」であり、こう配とは「投影図又は断面図における直線の、ある基準線に対する傾きの度合い」と定義されているので、本提案では、勾配はテーパに含まれるものとする。
【００４９】
1050は2個向合い把持具1000の挟持部であり、1100はストッパ部である。1は複数のストッパを連結すると同時に、各ストッパからの把持力を伝達するためのひもである。
【００５０】
ここでストッパ同士は連結されているので、ひもを引く力が大きければ大きいほど、ストッパが挟持部のテーパの狭くなった部分に食い込む力は大きくなる。その結果、くさび効果による挟持力も大きくなる。
【００５１】
つまり、引張力がストッパ側に印加される場合、ひも1のスタートは端部が結ばれた一つのストッパの接続部から始まり、他のストッパを経由して再びスタートのストッパの接続部に戻ったところで、ストッパ留めであるところのコードロックにて固定される構成にする。
【００５２】
この構成により、引張力が大きくなればなるほど、挟持力も大きくなる事が出来るのである。
【００５３】
11は1つ目の挟持体、12は2つ目の挟持体を示す。両者はテーパの狭くなった部分が向き合うように配置されている。108と208は布をストッパと本体で挟んだときに挟持力をアップさせるためのゴム板である。
【００５４】
2はストッパを所望の位置で固定するためのストッパ留めであるところのコードロック2 、 21はストッパ、 31はストッパ21にかしめて固定された接続部、41はストッパ21を挟持体11に入れたり、出したりするためのセットひもである。ひも1の端部はこの接続部31のところで固定されている。
【００５５】
22は2個目のストッパ、32はストッパ22にかしめて固定された接続部、42はストッパ22を挟持体12に入れたり、出したりするためのセットひもである。ひも1の端部は接続部31で固定され、接続部32を通り、再び接続部31に戻るように構成されている。
【００５６】
ここで図47を用い挟持力と引張力の関係を詳しく説明する。A、B、C、Dはそれぞれの把持具にかかる、引張力と挟持力の関係を示す。1000は2個向合い把持具、3は布、a1、a2、a3は引張力、b1、b2、b3は限界挟持力よりも少し小さい値、白の矢印は引張力の向きと大きさ、黒の矢印は挟持力の向きと大きさを示す。挟持力と引張力は向きが反対で、大きさは同じ値になる。矢印のサイズが大きいと引張力、挟持力は大きいことを示す。1はひも、2はストッパ留めであるところのコードロックを示す。21、22はストッパを示す。
【００５７】
まずAに於いて、2個向合い把持具1000を布3にセットする。次いで引張力a1でひも1を矢印の向きに引くと、ストッパ22では挟持力b1が発生する。矢印の示す場所は大体の場所を示している。次いでストッパ22には引張力a2も印加されるので、同じように挟持力b2も発生する。さらにストッパ21にはひも1によって引張力a3が印加されるので、ストッパ21では挟持力b3が発生する。
【００５８】
最大挟持力は布3がずれたり破れたりする時に限界を迎える事が多いので、2個向合い把持具1000の容易に2個のストッパでしっかり挟持されていれば、1個のストッパの場合よりも、限界挟持力は大きくなるのである。
【００５９】
次にBに於いて2個向合い把持具1000に引張力a1を印加する場合を示す。この場合ストッパ22は布3にストッパ留めであるところのコードロック2で固定されているので、挟持力b3が発生する、次いでひも1はストッパ21につながっているので引張力a2とそれに応じて挟持力b2が発生する。同時にひも1はコードロック2で固定されているので、ストッパ21には同じように引張力a3と、挟持力b3が発生する。
【００６０】
以上の説明で明らかなように、2個向合い把持具1000の側に引張力a1を印加しても、同じように挟持力b1、b2、b3が発生する事がわかる。
【００６１】
つぎに図のCで挟持体が1個の場合を説明する。この場合はストッパがひとつなので布3がずれやすく引張力a1を印加しても挟持力b1は大きな値にはならないことがわかる。
【００６２】
図Dでは図11で示した、布3を水平に保ったまま上に引き上げる場合を示している。aは引張力であるが、B1は2個向合い把持具1000挟持力というより挟持体11、12の剛性及びストッパ21、22の剛性で決まる力である。従って、重いシート材等を水平に持ち上げるような場合は把持具はこのような構成にすると良い事がわかる。
【００６３】
図48で挟持力と引張力の関係を示す。縦軸は挟持力（Kg重）、横軸は引張力（Kg重)である。
【００６４】
以下に図の説明を行う。把持具が布からはずれる時の挟持力を限界挟持力とすると、以下のようになる。 Aは本出願人が特許文献3の実用新案登録第3211560号で開示した挟持体の限界挟持力で8.5Kg重、 Bは2個向合い把持具、ストッパ21、22はアルミ製で限界挟持力は12.1Kg重 、Cは2個向合い把持具、ストッパ21、22は合成樹脂製で限界挟持力は16.3Kg重。
【００６５】
図3は、本提案の把持具の平面図、正面図、側面図を示す。
【００６６】
101、201は挟持部の入り口、102、202及び110、210は、ストッパを容易に挟持体に入れるための入り口ガイド、103、203は挟持体の天井開口エッジ、104、204は天井開口の反対側のエッジ、109、209はゴム板108、208を挟持部底部に接着させるための両面テープ、点111、112,113、116および点211、212、213、216で囲まれる部分を挟持部入り口、点113、114、115、116及び点213、214、215、216で囲まれる面を天井開口とする。117、217はひも1を接続部31、32にしっかりと固定するためのかしめである。
【００６７】
それぞれの部位のサイズを以下にまとめて示す。挟持部1050の厚さ0.6mm、長さは64.6mm、外幅22.4mm、内幅（線分：111・112）は21.2mm。ストッパ21の直径bは18.0mm、厚さ0.33mm、接続部31は直径0.2mmのピアノ線である。天井開口の幅（線分：114・115）は9.3mm、長さ（線分：113・114）は19.5mmである。挟持体内部の高さ（点113から下ろした垂線）は7.3mmである。
【００６８】
図3で明らかなように、挟持体11と12はテーパの狭くなった端部が互いに向き合う配置になっている。
【００６９】
図4は、図3の平面図に於けるA-A線断面図である。図中の記号説明は全て図2、図3と同じである。この図から、ひも1を下方向に引くと、ストッパ21と22は互いに近づく方向に力が加わる事が良くわかる。
【００７０】
図5から図8は、2個向合い把持具1000を布にセットする方法を示す。
【００７１】
図5に於いて、3は布である。まず挟持部1050を布3の図面奥側にストッパ部1100を布3の手前側に置く。次いでストッパ21、22間の距離を、挟持部1050の縦方向の長さより大きくなる位置まで引き離す。これが図5示す位置関係である。
【００７２】
図6では、セットひも41を図の上側に引き、ストッパ21を入り口101のガイド102と110に沿わせて、挟持体11に、スライドさせて入れる。
【００７３】
次いで図7に於いて、セットひも42を図の下側に引くことで、ストッパ22を入り口201のガイド202と210に沿わせて、挟持体12に、スライドさせて入れる。次いで、ひも1を下に引き、ストッパ21、22で布3を挟持体11、12にそれぞれしっかりと挟み込ませる。
【００７４】
図8では、図7の状態を維持しながら、ストッパ留めであるところのコードロック2を図の位置まで押し上げ、ストッパ21と22をしっかりと接続部31の位置で固定する。
【００７５】
ひも1は接続部31に端部が固定され、32を通った後、再び接続部31を通り、ストッパ留めであるところのコードロック2で固定される。その先のひも1は三角カン（不図示）につながり、ひも1に引張力がかかるように構成されている。
【００７６】
次に図42に於いて、2個向合い把持具1000の挟持力を測定した結果を説明する。
【００７７】
端部固定治具50に1辺30cmの正方形で、厚さが300μmの絹布3の1辺をしっかり固定ざせSカン5を介してはかり4で引っ張った結果、アルミストッパ21、22では12.1Kg重印加でアルミストッパ21、22が中央で折れてしまい、挟持体11、12から出てしまい絹布3は2個向合い把持具1000からはずれた。この時、絹布3を確認したが、ほつれや破れはまったくなく、変化は認められなかった。
【００７８】
従来のアルミストッパ21だけでは8.5Kg重でアルミストッパ21が変形したことを考えると、アルミストッパが2個になることで引張力が分散され1.42倍の引張力まで耐えられるようになったと思われる。
【００７９】
次に図28のボタン形状の合成樹脂153とピアノ線接続部154からなる合成樹脂ストッパ2550を2個向合い把持具1000にセットし同じ測定を行った。その結果16.3Kg重印加の時に直径が2mmの綿製のひも1が切断した。この時、絹布3を確認したが、ほつれや破れはまったくなく、変化は認められなかった。また合成樹脂ストッパ2550のボタン形状の合成樹脂153やピアノ線接続部154にも変化は見られなかった。
【００８０】
この結果から、ひも1の線径を2mmより太くしたり、材料も綿から麻や化学繊維に代えれば、より大きな挟持力が得られるものと考えられる。
【００８１】
図9に於いて、1200は自在把持ベルト1201とその両端に2個向合い把持具1000を配置した自在把持用具である。1201は幅30mm、厚さ3mm、長さ1000mmの化学繊維で出来た自在把持ベルト、1202は合成樹脂テープアジャスター、1203、1204は自在把持ベルト1201と2個向合い把持具1000をつなげるための三角カン、1205、1206はひも1を三角カン1203、1204につなぎとめるためのかしめ、1207は自在把持ベルト1201の端部を三角カン1203に固定するためのあぶみ留め、1208は自在把持ベルト1201の長さ調整しろである。
【００８２】
図10は自在把持用具1200を持ち手のない布の袋1301にセットし、肩に掛けた様子1300を示す図である。この図からも明らかなように、自在把持用具1200が把持可能な対象物の形状、材質、厚み等の自由度は非常に大きい。
【００８３】
また、把持対象物の持ち手のない布袋1301の持ったときの高さも、体長に合わせて、自在把持ベルト1201の長さ調整しろ1208を調整することにより自在に変える事ができる。
【００８４】
図11はその他の実施例1であり、1150は図2の2個向合い把持具のストッパ部のその他の方法を示す図である。1154はリング、1151はリング1154とストッパ21をつなぐひも、1152もストッパ22とリング1154をつなぐひもである。ひも1151と1152は1153もカシメで、リング1154にしっかりと固定されている。また1155はひも1をリング1154に固定するためのカシメである。
【００８５】
図11の1160はコードロック2で布（不図示）を挟持した状態を示している。布は挟持部1050とストッパ21、22でしっかりと挟持されている。ストッパ21、22の位置が、動かないようにひも1151と1152は、コードロック2で固定されている。
【００８６】
ストッパ部1150はこのような構成になっているので、コードロック2はひも1151、1152を、2個向合い把持具1050の中心点でストッパ21,22を固定する事が出来る。その結果、布を挟持部とストッパ部で挟持した時に、布は水平のままで、垂直の図の上方に持ち上げる事が出来る。
【００８７】
ストッパの数が増えても、ひも1153,1154・・・と増やしリング1154につなげれば、やはり同じように布を水平のまま上方に持ち上げることが可能である。
【００８８】
ここで重要なのは、この場合の引張力の限界は最大挟持力で決まるのではなく、挟持体の剛性で決まる。その結果、より重いものでも容易に持ち上げる事が出来るのである。その様子を図47のDで示す。
【００８９】
この図47のDからも明らかなように、引張力a1の最大値は把持具の把持力の限界で決まるのではなく、B1で示す、挟持体の剛性で決定されるのである。従って、重たいシート等を水平に持ち上げたい場合は図47のDような構成にすればよいのである。
【００９０】
図12はその他の実施例2である。1400は厚さ0.6mmの鉄板をプレスすることで作成した、3つの挟持体からなる、くさび効果型向合い把持具であるところの3個向合い把持具である。またその平面図、正面図、側面図を示す。
【００９１】
挟持部は11、12、13は挟持体から構成される。3者はテーパの狭くなった部分が向き合うように配置されている。2はストッパを所望の位置で固定するためのコードロック、 21はストッパ、 31はストッパ21にかしめて固定された接続部、41はストッパ21を挟持体11に入れたり、出したりするためのセットひもである。ひも1の端部はこの接続部31に固定されている。
【００９２】
22は2個目のストッパ、32はストッパ22にかしめて固定された接続部、42はストッパ22を挟持体12に入れたり、出したりするためのセットひもである。ひも1は接続部32を通り、接続部33へ向かうように構成されている。
【００９３】
23は3個目のストッパ、33はストッパ23にかしめて固定された接続部、43はストッパ23を挟持体13に入れたり、出したりするためのセットひもである。ひも1は接続部31に端部が固定され、32、33を通った後、再び接続部31を通り、ストッパ留めであるところのコードロック2で固定される。その先のひも1は三角カン（不図示）につながるように構成されている。
【００９４】
図12からも明らかなように、挟持体11、12、13はテーパの狭くなった端部が互いに向き合う配置になっている。これとひも1で連結された、21、22、23の3個のストッパが布（不図示）を挟み込むことで、挟持される布の面積が広がり、布がずれるのを防止する効果が増大し、挟持力が増加することを意図したものである。
【００９５】
3個向合い把持具は樹脂を射出成型の技術で一体成型し、挟持部としても良い。ひも1は3個のストッパを連結すると同時に、各ストッパに外力を伝達するための役割もある。
【００９６】
ここでストッパ同士はひも1によって連結されているので、外力が大きければ大きいほど、ストッパを挟持体のテーパの狭くなった部分に布と共に挟み込ませることになる。その結果、布を挟み込む力が大きくなり、くさび効果による挟持力が大きくなる。
【００９７】
図13の1500は厚さ0.6mmの鉄板をプレスすることで作成した。4つの挟持体からなる、4個向合い把持具を示す。
【００９８】
14は4個目の挟持体、24は4個目のストッパ、34はストッパ24にかしめて固定された接続部、44はストッパ24を挟持体14に入れたり、出したりするためのセットひもである。ひも1は接続部31に端部が固定され、32、33、34を通った後、再び接続部31を通り、ストッパ留めであるところのコードロック2で固定される。その先のひも1は三角カン（不図示）につながるように構成されている。
【００９９】
図からも明らかなように、挟持体11、12、13、14はテーパが狭くなる部分を互いに向けて配置されている。
【０１００】
1550は厚さ0.6mmの鉄板をプレスすることで作成した。5つの挟持体からなる、くさび効果型向合い把持具であるところの5個向合い把持具の平面図を示す。
【０１０１】
挟持体11、12、13、14、15はテーパが狭くなる側を互いに向け合って配置されている。
【０１０２】
15は5個目の挟持体、25は5個目のストッパ、35はストッパ25にかしめて固定された接続部、45はストッパ25を挟持体15に入れたり、出したりするためのセットひもである。ひも1は接続部31に端部が固定され、32、33、34、35を通った後、再び接続部31を通り再び接続部31を通り、ストッパ留めであるところのコードロック2で固定される。その先のひも1は三角カン（不図示）につながるように構成されている。
【０１０３】
複数の挟持体のテーパが、狭くなる側を互いに向け合って配置させることにより、布を把持する場所が複数箇所になり、力が分散され、より大きな引張力に耐える事ができるようになる。さらには必要挟持力に応じて挟持体を増減して設計する事ができる。
【０１０４】
ひも1に大きな引張力が印加されればされる程、ストッパは挟持体の狭い方向に向かって引かれることになる。その方向はくさび効果がより大きくなる向きなので、挟持力はより大きくなる。
【０１０５】
また、ストッパがひもで連結されているので、一部の挟持体やストッパに、くさび効果を解除する向きに力が働いても、反対側に位置する挟持体やストッパにはくさび効果が増大する向きの力になる。その結果どの方向から外力が印加されても、挟持体は布にしっかり固定される。
【０１０６】
プレス成型で作成する挟持部は、短時間に、大量に生産できるので、その結果、安価に生産できるというメリットがある。
【０１０７】
また、挟持体やストッパ部からなる向合い把持具を可撓性を有する樹脂、たとえばポリオキシエチレンやポリアミドなどのエンジニアリングプラスチックスやABS樹脂等の材料を使い、型成型や射出成型等の方法で製造しても良い。
【０１０８】
図14はその他の実施例3である。1600は鉄板の上に、3個の挟持体を両面テープで固定することで作成した、くさび効果型向合い把持具であるところの台座付き3個向合い把持具である。同時にその平面図、正面図、側面図を示す。
【０１０９】
1601は厚さ1.0mmの丸みを帯びた三角形型をした鉄製台座、1602は挟持体11、12、13を鉄板1601に固定するための両面テープである。
【０１１０】
13は3個目の挟持体、23は3個目のストッパ、33はストッパ23にかしめて固定された接続部、43はストッパ23を挟持体13に入れたり、出したりするためのセットひもである。ひも1は接続部31に端部が固定され、32、33の接続部の中を通った後、再び接続部31の中を通り、ストッパ留めであるところのコードロック2によって接続部31の場所で固定される。ひも1のその先は三角カン（不図示）につながれるように構成されている。
【０１１１】
図12の3個向合い把持具1400との違いは、一枚の鉄板から3個の挟持体を一体で成型しているか、3個の挟持体を鉄製台座の上に並べたかの点のみである。
【０１１２】
挟持体の向きや、ストッパの動き、得られる機能等は3個向合い把持具1400と同じである。
【０１１３】
一枚の鉄板から打ち抜くタイプに比べ、挟持体を並べるだけの方式のメリットは、必要な挟持力に対する対応が容易であることである。つまり必要な挟持力に応じて、挟持体の数を増減させれば良いのである。
【０１１４】
更には、1種類の挟持体だけを大量に作れば、生産コストは大幅に低く抑えられるメリットも発生する。
【０１１５】
図15の1610は鉄製台座1601の上に、3個の挟持体を両面テープの代わりにねじを使い固定することで作成した、くさび効果型向合い把持具であるところの台座付き3個向合い把持具の一部拡大図である。同時にその平面図、正面図、側面図を示す。
【０１１６】
鉄製台座1601は厚さ1.0mm、1603は挟持体11を鉄製台座1601に固定するためのなべねじである。1604は皿ねじ、1605はなべねじ1603と皿ねじ1604を鉄製台座1601に固定するためのナットである。
【０１１７】
図16は図15に於けるA-A線断面図である。ひも1は接続部31に端部が固定（不図示）され、32 （不図示） 、33 （不図示）の接続部の中を通った後、再び接続部31の中を通り、ストッパ留めであるところのコードロック2で固定される。ひも1のその先は三角カン（不図示）につながれるように構成されている。109はゴム板108を挟持体11の床面に接着させるための両面テープ。
【０１１８】
このような構成になっているので挟持体11は、一個のなべねじ1603と2個の皿ねじ1604を使い、鉄製台座1601に、ナット1605でしっかりと固定されている。
【０１１９】
その結果、両面テープで固定する場合に比べ、より強い力で挟持体11を鉄製台座1601に固定する事が出来る。その結果、挟持体は両面テープで固定する場合より、さらに大きな挟持力で布（不図示）に固定される事が出来るようになった。
【０１２０】
図17の1650は挟持体の3種類のモジュールを示したものである。A、B、Cはそれぞれ挟持体の小、中、大サイズの異なるモジュールである。この3種類のモジュールの組み合わせだけで多くの必要な挟持力を持つ把持具を作るモジュラーデザインを行うものである。なおモジュールの種類は3種類に限定されるものではない。
【０１２１】
モジュラーデザインとは、限られた製造設備で作成した互換性が高い少数の部品（モジュール）を前もって設計しておき、それらを組み合わせて多様な製品を設計する、計画的な設計手法である。製品の多種多様化を図りつつ、できるだけ部品の種類を削減し、製造原価の低減を狙うことを目的とする。
【０１２２】
図18の1660はモジュラーデザインで作られたモジュラーデザイン把持具である。モジュラーデザイン把持具1660はモジュールAが1個、モジュールBが2個、モジュールCが1個から構成されており、必要な挟持力が出せる設計になっている。1661はモジュールA,B、Cを保持するための厚さ1mmの鉄製台座である。
【０１２３】
全てのモジュールはテーパの狭くなった端部が互いに向き合う配置になっている。
【０１２４】
またモジュールはプレス成型や、射出成型等で作成しても良い。
【０１２５】
以上説明してきたように、くさび効果型向合い把持具にモジュラーデザインの考えを取り入れると、最小限のモジュール種類で、求められるいろいろな挟持力を持つくさび効果型向合い把持具を設計する事が出来る。その結果、大量生産が可能になり、製造原価も下げる事が出来る。
【０１２６】
図19は、図14の台座付き3個向合い把持具を4個、5個に展開したものである。
【０１２７】
1700は4個向合い把持具を示している。1701は台座となる鉄製台座である。挟持体11、12、13、14は台座の鉄製台座1701にねじで固定されている。1702は挟持体11を鉄製台座1701に止める為のなべねじ、1703は皿ねじである。
【０１２８】
1800は台座付き5個向合い把持具を示している。1801は台座となる鉄製台座である。挟持体11、12、13、14、15は鉄製台座1801にねじで固定されている。1802は挟持体11を鉄製台座1801に止める為のなべねじ、1803は皿ねじである。
【０１２９】
挟持体の向きや、ストッパの動きや機能等は3個向合い把持具1600と同じである。
【０１３０】
ただし得られる挟持力は台座付き3個向合い把持具1600よりも4個向合い把持具1700が大きく、 さらには台座付き5個向合い把持具1800のほうがより大きくなっている。
【０１３１】
図20はその他の実施例4である。1900は2個向合い把持具に外装を配置した外装付き2個向合い把持具である。またその平面図、正面図、側面図を示す。
【０１３２】
1901は市販のくるみボタンのアルミ外装である。サイズは直径が74mm、厚さが0.2mmで、材質はアルミで出来ている。 1902はアルミの水平方向切り込みしろ、1903は垂直方向のアルミ切り込みしろである。
【０１３３】
以下に、 2個向合い把持具1000にアルミ外装1901を取り付ける方法を説明する。まずアルミ外装1901の周りに2個向合い把持具1000の入り口の幅にあわせ4箇所の切込みを入れる。次いで、 2個向合い把持具1000をアルミ外装1901の中に入れた後、水平方向アルミ切りこみしろ1902と垂直方向アルミ切り込みしろ1903を折り曲げ、アルミ外装1901を2個向合い把持具1000にしっかりと固定する。
【０１３４】
なお、くさび効果型把持具にアルミ外装を配置する方法は本出願人が特願2018-001536で開示済みである。
【０１３５】
図21は図20の平面図に於けるA-A線断面図である。この図からも明らかなようにアルミ外装1901は水平方向アルミ切りこみしろ1902と垂直方向アルミ切り込みしろ1903によって、2個向合い把持具1000にしっかりと固定される事がわかる。
【０１３６】
その結果、アルミ外装1901を装備することにより、2個向合い把持具1000が直接肌に当たるような使い方をされても、圧迫痕や引っかき傷等の発生が防止されるようになった。
【０１３７】
図22は外装付きの複数個の挟持体の向合い把持具を説明している。このとき、挟持力は、挟持体の個数が同じ場合は、プレスで成型した場合よりも、厚さ1.0mmの鉄板台座付きのモジュラーデザインタイプのほうが把持具の強度が増すので、挟持力はより大きくなる。またプレス成型した向合い把持具に台座をつけた場合も、把持具の強度が増すので、挟持力はさらに大きくなる。
【０１３８】
2000は外装付き3個向合い把持具である。2001は厚さが0.2mmのアルミの板を加工して作った、アルミ外装である。三角形の1辺の長さは約70mmである。 2002はアルミの水平方向切り込みしろである。2003は3個の挟持体モジュールを厚さ1.0mmの鉄板の台座の上に両面テープ（不図示）で固定した、3個向合い把持具である。
【０１３９】
次に、アルミ外装の設置方法を説明する。まずアルミ外装2001の周りに、台座付き3個向合い把持具の入り口の幅にあわせ、6箇所の切込みを入れる。次いで、台座付き3個向合い把持具をアルミ外装2001の中に入れた後、水平方向アルミ切りこみしろ2002を折り曲げ台座付き3個向合い把持具アルミ外装2001に固定した。
【０１４０】
2100は外装付き4個向合い把持具である。2101は厚さが0.2mmのアルミの板を加工して作った、アルミ外装である。四角形の1辺の長さは約80mmである。 2102はアルミの水平方向切り込みしろである。2103は4個の挟持体モジュールを厚さ1.0mmの鉄板の台座の上に両面テープ（不図示）で固定した、4個向合い把持具である。
【０１４１】
次に、アルミ外装の設置方法を説明する。まずアルミ外装2101の周りに、台座付き4個向合い把持具の入り口の幅にあわせ、8箇所の切込みを入れる。次いで、台座付き4個向合い把持具をアルミ外装2101の中に入れた後、水平方向アルミ切りこみしろ2102を折り曲げ台座付き4個向合い把持具アルミ外装2101に固定した。
【０１４２】
2200は外装付き5個向合い把持具である。2201は厚さが0.2mmのアルミの板を加工して作った、アルミ外装である。五角形の1辺の長さは約90mmである。 2202はアルミの水平方向切り込みしろである。2203は厚さ0.6mmの鉄板からプレスで一度に成型した5個向合い把持具である。これをを厚さ1.0mmの鉄板の台座の上にねじ止めしたものである。
【０１４３】
次に、アルミ外装の設置方法を説明する。まずアルミ外装2201の周りに、台座付き5個向合い把持具の入り口の幅にあわせ、10箇所の切込みを入れる。次いで、台座付き5個向合い把持具をアルミ外装2201の中に入れた後、水平方向アルミ切りこみしろ2202を折り曲げ、台座付き5個向合い把持具アルミ外装2201に固定した。
【０１４４】
その結果、アルミ外装2001、2101、2201を装備することにより、3、4、、5個向合い把持具1400、1500,1550や、台座付き3、4、、5個向合い把持具1600、1700,1800が直接肌に当たるような使い方をされても、圧迫痕や引っかき傷等の発生を防止されるようになった。
【０１４５】
図23はその他の実施例5である。2300は2個向合い把持具1000が肌と接する部分にフェルト等の保護層を貼り付けた、保護層付き2個向合い把持具である。またその平面図、正面図、側面図を示す。
【０１４６】
2301はフェルト等のやわらかい素材で出来た保護層である。2302は保護層2301を2個向合い把持具1000に貼り付けるための粘着層である。
【０１４７】
図24は図23の平面図に於けるA-A線断面図である。この図からも明らかなように保護層2301は2個向合い把持具1000の肌に当たる部分をしっかりと覆っている事がわかる。
【０１４８】
その結果、保護層2301を装備することにより、保護層付き2個向合い把持具2300が直接肌に当たるような使い方をされても、圧迫痕やバリによる引っかき傷等の発生を防止できるようになった。
【０１４９】
また冬場に、2個向合い把持具1000が肌に触れた時の冷たい感触を防止することも出来る。更に夏場では、汗によるベとつきを防止する事ができる。また使用者が金属アレルギー体質の場合にはその対策にもなる。
【０１５０】
図25に於いて2400は外装付き2個向合い把持具1900のアルミ外装1901の表面に、保護層を配置した外装付き2個向合い把持具である。またその平面図、正面図、側面図を示す。
【０１５１】
2401はフェルト等のやわらかい素材で出来た保護層である。2402は保護層2401をアルミ外装1901に貼り付けるための粘着層である。
【０１５２】
図26は図25の平面図に於けるA-A線断面図である。この図からも明らかなように保護層2401はアルミ外装1901が肌に当たる部分をしっかりと覆っている事がわかる。
【０１５３】
その結果、アルミ外装1901の表面に保護層2401を配置することにより、外装付き2個向合い把持具2400が直接肌に当たるような使い方をされても、圧迫痕やバリによる引っかき傷等の発生を画期的に防止できるようになった。
【０１５４】
その上、冬場の、アルミ外装1901が肌に触れた時の冷たい感触を防止することも出来るようになった。更に夏場では、汗によるベとつきを防止する事ができるようになった。また使用者が金属アレルギー体質の場合にはその対策にもなった。
【０１５５】
図27はその他の実施例6である。2500は直径は18.0mm、厚さが0.33mmのアルミストッパ21のエッジ部にフェルト等の保護層を貼り付けた、保護層付きストッパを示す図である。またその平面図、正面図、A-A線断面図を示す。
【０１５６】
151はフェルト等のやわらかい素材で出来た保護層である。 152は保護層151をストッパ21に貼り付けるための粘着層である。
【０１５７】
以下に、ストッパ21に保護層151を配置することになった実験を紹介する。2個向合い把持具1000を綿布にセットし、解除するを1回のサイクルとし耐久したところ、1000回を越えたあたりからアルミストッパ21のa、b、c、dで示される、エッジ部分にひびや欠けが発生しだした。これはセット、解除する時に、ストッパが挟持体の入り口ガイドや側壁、天井開口エッジ等と干渉するためだと思われる。そしてそのひびや欠けが原因と思われるほつれが布に発生した。、その防止のためにエッジ部a、b、c、dを完全に覆うように保護層151を設けた。そして上記と同じ耐久を行ったが、3000回耐久した後も割れや、欠けが発生する事がなくなった。その結果、耐久後も布にほつれ等が発生することは無くなった。
【０１５８】
図28の2550はボタン形状の合成樹脂とピアノ線接続部からなる合成樹脂ストッパである。またその平面図、正面図、A-A線断面図を示す。
【０１５９】
153は直径は18.0mm、厚さが3.1mmの合成樹脂ストッパであり、154は直径が0.20mmのピアノ線接続部、155はピアノ線接続部154のねじり部分が解けないようにするためのかしめである。
【０１６０】
このような構成になっているので、図27で説明した耐久を3000回行っても、合成樹脂ストッパ153はひび、割れを起こす事がなく、布に対し、ほつれや傷等をつける事がなかった。
【０１６１】
また、アルミストッパは中心部で折れ曲がる事が多かったが、合成樹脂の材料で出来たストッパは折れ曲がることはないので、より大きな挟持力を持つ事が出きる。
【０１６２】
また、ストッパの材質としては、木材などでも、合成樹脂と同等の挟持力、耐久性が認められた。ただ絹のような繊細な布の場合には、布が傷む前にストッパが折れ曲がり、把持が解除されるアルミストッパ21が有効なのはいうまでもない。
【０１６３】
図29はその他の実施例7である。2600は簡易担架を作り、人を緊急搬送している図である。 2602は自在把持ベルト1201を2本とホテル等に備え付けのシーツを使って作った簡易担架である。自在把持ベルト1201の両端には5個向合い把持具が配置されている。
【０１６４】
2601はホテル等に備え付けのシーツ、1800は台座付き5個向合い把持具であり、挟持体は台座の鉄板にねじで固定されている。このねじ止め式台座付き5個向合い把持具1800の挟持力は1個だけで150Kg重と非常に大きいので、シーツ2601にセットするだけで、簡単に簡易担架2602を作る事が出来る。この場合5個向合い把持具を4個を使っているので、シーツ2601の強度が大きければ600Kg重の引張力まで対応できる。
【０１６５】
以上のことから、地震や、火災などで緊急に人を運搬する必要が発生した場合、救助隊員は各自、自在把持ベルト1201を1本さえ携帯していれば、ホテル等の現場には必ず備え付けてあるシーツ2601やカーテン等を利用して、即座に簡易担架2602を作る事が出来るのである。
【０１６６】
図30はその他の実施例8である。これは野菜や果物、穀物等の入った麻袋2701に持ち手を付けてリュックにする場合を紹介している。2702は麻袋の口を閉じるひも、1201は両端に2個向合い把持具を配置した自在把持ベルト、1000は2個向合い把持具、2700は麻袋2701に自在把持ベルト1201を付けて作った簡易リュックである。
【０１６７】
このように、持ち手のない袋ならば従来は、両手で抱えるか、肩に担ぐしか運搬方法がなかったが、自在把持ベルト1201を2本つけるだけで、簡単に簡易リュック2700として背負う事が出来るようになるのである。
【０１６８】
図31は簡易リュック2700を背負った様子を後ろから見た図である。背負えるようになることで、両手が自由になる様子が良くわかる。
【０１６９】
図32は簡易リュック2700を背負った様子を側面から見た図である。1202は合成樹脂テープアジャスター、1208は自在把持ベルト1201の長さ調整しろである。2802は図33で説明する、わに口クリップである。
【０１７０】
このような構成になっているので、長さ調整しろ1208を合成樹脂テープアジャスター1202の部分で容易に調整できるので、簡易リュック2700の重さや、形状に合わせて、自分の背中に馴染むように自在把持ベルト1201の長さを簡単に調整する事ができる事がわかる。
【０１７１】
図33は麻袋2701の中の挟持部ホルダーを示した図である。 図に於いて2800は挟持部ホルダー、1050は挟持部、2801はひも、2802は図32でも紹介した、わに口クリップ、2803はひも2801に挟持部1050を固定するためのかしめである。
【０１７２】
通常、わに口クリップ2802は麻袋2701の入り口のヘリで固定される。挟持部ホルダー2801が図33に示すような構成になっているので、麻袋2701の表側に配置されているストッパ部1100が解除されても、挟持部1050は麻袋2701の中でばらばらにならない。
【０１７３】
その結果、自在把ベルト1201を麻袋2701からはずしても、わに口クリップ2802をつまめば、挟持部1050をまとめて袋の中から取り出すことが出来るのである。
【０１７４】
図34は、その他の実施例9である。一枚の布でも、自在把持用具を使えば、物を運ぶ事が出来ることを示す図である。2850は風呂敷と自在把持ベルトを示す図である。2854は風呂敷、2851は自在把持ベルトで、片端に2個向合い把持具1000が配置されている。2852は合成樹脂テープアジャスター、2853は三角カン、1はひも、2はストッパ留めであるところのコードロックである。
【０１７５】
図35の2860は風呂敷2854と自在把持ベルト2851で作った、搬送ツールである。2855は、ボーリング玉である。
【０１７６】
図で示すように、まず風呂敷2854でボーリング玉2855を包み、四隅を図のように重ね、そこを2個向合い把持具1000で挟み、コードロック2でロックする。後は合成樹脂テープアジャスター2852で自在把持ベルト2851の長さを調整すれば、持ち手付きの搬送ツール2860が完成する。
【０１７７】
図36は、その他の実施例10である。2900は舞台衣装の天子の羽セットであり、その天子の羽セット2900を背負ったときの背面図である。
【０１７８】
2901は天子の羽、2902は長さ調整用のコードロック、2903の天子の羽2901を固定するための自在把持用具である。天子の羽には色違いやサイズ違いの幾種類のものがあるが全て自在把持用具2903と対になって固定されている。図36のAで囲った部分の拡大図で天子の羽2901がない場合の様子を図37で示す。
【０１７９】
図37に於いて1はひも、2907は衣装、2905は長さ調整用のコードロック2902が自在把持用具2903からはずれないようにするためのはとめである。2904は挟持部1050を衣装2907の内側に固定するための縫い糸である。2906は挟持部1050にあけられた貫通穴である。
【０１８０】
また、あらかじめ衣装2907に挟持部1050の貫通穴2906に縫い糸2904を通し、挟持部1050を縫い付けておく事が出来る。ストッパ部1100と自在把持用具2903と天子の羽2901はセットになっている。
【０１８１】
このような構成になっているので、初めにストッパ部1100を衣装2907内部に縫いこんである挟持部1050にセットする。次にコードロック2で、ストッパ部1100をしっかり固定し、この動作を自在把持用具2903に4個配置されている2個向合い把持具1000で行う。ついでコードロック2902を使い、背中に対し天子の羽2901がしっくり来るように調整する。ここまでの作業は本人が行っても良いが周りのスタッフが行っても良い。最後に衣装2907を着れば、天使の羽2901の設定は完了である。
【０１８２】
演技の合間に天子の羽2901を別の色の羽に変える場合は、スタッフはストッパ留めであるところのコードロック2を解除し天子の羽2901の4箇所の挟持部1050からストッパ部1100を解除すればよい。その後、新しい天子の羽に上述の方法で交換すればよい。
【０１８３】
本方式のメリットは本人が衣装2907を着たままでも、スタッフによって短時間に天子の羽2901の交換が行えることである。
【０１８４】
図38は天子の羽2091を背負った状態の側面図である。
【０１８５】
図からも明らかなように、更なるメリットは、天子の羽2901の装着にベルト等を使用しない上、4個の2個向合い把持具1000は、本人の体と、天子の羽2901の間に隠れて、観客からは全く見えないので、観客にしてみれば、本当に背中に肩羽が生えているように見えることである。
【０１８６】
図39はその他の実施例11であり、把持対象への引張力を挟持体側へ伝える構成であることを特徴とする自在把持用具を使いシートを持ち上げる様子を示す。 3002は自在把持用具であるところの持ち手、3003は厚さ5mm、直径100mmの鉄板台座、持ち手3002は鉄板台座3003に固定されている。、3004は厚さ10mmの絨毯である、3004は絨毯のほかにブルーシート、シーツ、カーテン、国旗等のシート状のものであれば何でも良い。3005は自在把持用具であるところの、持ち手3002を掴んでいる手を表している。
【０１８７】
図40は図39に示した把持対象への引張力を挟持体側へ伝える構成であることを特徴とする自在把持用具に2、3、4個向合い把持具が固定された場合を示す。
【０１８８】
3000は把持対象への引張力を挟持体側へ伝える、2個向合い把持具と一体化した自在把持用具を示す。3001は2個向合い把持具で11、12は挟持体、3002は鉄板台座、1はひも2はストッパ留めであるとことのコードロック、21、22、はストッパ、3003は自在把持用具である取っ手。取っ手3003は鉄板台座3002に固定されている。
【０１８９】
挟持体11、12はテーパの狭くなった端部が、向き合うように配置され、それぞれ鉄板台座3002にねじで固定されている。
【０１９０】
このような構成になっているので、絨毯3004を挟持したときに、ひも1はコードロック2によって、ストッパ21の所でしっかりロックされる。
【０１９１】
上記のように挟持体11、12が鉄板台座3002に配置された場合、絨毯3004の引張力は、取っ手3003、鉄板台座3002、挟持体11、12が一体化しているので、直接自在把持用具であるところの取っ手3003に伝わってくる。
【０１９２】
この場合ひも1を引っ張ることでストッパ21、22に、絨毯3004の引張力が加わり挟持力がよりアップすることは無い。しかしこのような場合でも、挟持体11、12のテーパの狭くなった端部が互いに向き合うように配置されており、図40に示すように、ひも1はストッパ留めであるところのコードロック2によって、ストッパ21の所でしっかりロックされる。
【０１９３】
それゆえ、移動の際、絨毯3004が大きく揺れて、片方のストッパにテーパの狭いほうから広いほうへ向けて力が加わっても、ひも1の長さは固定されているので、反対側のストッパはテーパが広い方から狭いほうへ移動する力となって働く。その結果、絨毯3004がどの方向にゆれても、挟持力の和は常に一定になるという効果がある。
【０１９４】
3100は把持対象への引張力を挟持体側へ伝える3個向合い把持具と一体化したの自在把持用具のその他の例を示す。3101は3個向合い把持具で11、12、13は挟持体、3102は鉄板台座、1はひも2はストッパ留めであるとことのコードロック、21、23はストッパ、3103は自在把持用具である取っ手。取っ手3103は鉄板台座3102に固定されている。
【０１９５】
挟持体11、12、13はテーパの狭くなった端部が、向き合うように配置され、それぞれ鉄板台座3102にねじで固定されている。
【０１９６】
このような構成になっているので、絨毯3004を挟持したときに、ひも1はコードロック2によって、ストッパ21の所でしっかりロックされる。
【０１９７】
3200は把持対象への引張力を挟持体側へ伝える、4個向合い把持具と一体化した自在把持用具のその他の例を示す。3201は4個向合い把持具で11、12、13、14は挟持体、3202は鉄板台座、1はひも2はストッパ留めであるとことのコードロック、21、24はストッパ、3203は自在把持用具である取っ手。取っ手3203は鉄板台座3202に固定されている。
【０１９８】
挟持体11、12、13、14はテーパの狭くなった端部が、向き合うように配置され、それぞれ鉄板台座3202にねじで固定されている。
【０１９９】
このような構成になっているので、絨毯3004を挟持したときに、ひも1はコードロック2によって、ストッパ21の所でしっかりロックされる。
【０２００】
また上記のように、把持対象への引張力を挟持体側へ伝えるタイプは、ひも1の起点のストッパはどのストッパでもかまわない。重要なことは、ひも1が他のストッパを経由して再び起点のストッパに戻ったところで、ストッパ留めであるところのコードロック2にてしっかりと固定されるということである。更に説明するならば、一旦セットしたら、解除されるまで、ストッパは固定されて動かない機構があれば良いということである。
【０２０１】
以上説明してきたことからも明らかなように、挟持体のモジュールの大きさが異なる場合でも、複数の挟持体を配置する場合は、互いにテーパが狭くなる部分で互いに向き合うようにすれば良い事がわかる。
【０２０２】
また、ここで重要なのは、把持対象への引張力を挟持体側へ伝えるタイプの場合の引張力の限界は最大挟持力で決まるのではなく、挟持体の剛性で決まることである。その結果、より重いものでも容易に持ち上げる事が出来るのである。
【０２０３】
更には本提案の把持具は重量物のみならず、従来の名札やアクセサリー等も挟持できることは明確である。
【産業上の利用可能性】
【０２０４】
本提案は重量物を衣服やシートに穴を開けずに係止することができるので絶対に穴を開けることが認められない宇宙服、潜水服、また放射線やウイルス、化学兵器のための防護服等に後から重量物を係止したい産業分野などに利用することができる。更にはシートと自在把持用具さえあれば搬送可能対象物の自由度が大きいので、スポーツレジャーの分野や運輸運搬の分野、更には、自在把持用具とシートだけで担架を作る事が出来るので震災・火災・暴動などの災害対策用具関連産業分野等にも利用が出来る。
【符号の説明】
【０２０５】
1  ひも
2  コードロック
3  布
4  はかり
5  Sカン
11  挟持体
21  ストッパ
31  接続部
41  セットひも
1000  2個向合い把持具
1050  挟持部
1100  ストッパ部
1201  自在把持ベルト
1301  持ち手のない布の袋
1400  プレス製3個向合い把持具
1500  プレス製4個向合い把持具
1550  プレス製5個向合い把持具
1600  台座付き3個向合い把持具
1610  ねじ止め式台座付き3個向合い把持具
1650  ねじ止め式挟持体モジュール
1700  台座付き4個向合い把持具
1800  台座付き5個向合い把持具
1900  外装付き2個向合い把持具
2000  外装付き3個向合い把持具
2100  外装付き4個向合い把持具
2200  外装付き5個向合い把持具
2300  保護層付き2個向合い把持具
2400  保護層を配置した外装付き2個向合い把持具
2500  保護層付きストッパ
2550  合成樹脂ストッパ
2600  簡易担架
2700  簡易リュック
2800  挟持体ホルダー
2860  風呂敷と自在把持ベルトで作った、搬送ツール
2900  天使の羽セット
3000  引張力が挟持体側から伝わる、2個向合い把持具と一体化した自在把持用具
3100  引張力が挟持体側から伝わる、3個向合い把持具と一体化した自在把持用具
3200  引張力が挟持体側から伝わる、4個向合い把持具と一体化した自在把持用具
【図１】
2019193758.tif 000003
【図２】
2019193758.tif 000004
【図３】
2019193758.tif 000005
【図４】
2019193758.tif 000006
【図５】
2019193758.tif 000007
【図６】
2019193758.tif 000008
【図７】
2019193758.tif 000009
【図８】
2019193758.tif 000010
【図９】
2019193758.tif 000011
【図１０】
2019193758.tif 000012
【図１１】
2019193758.tif 000013
【図１２】
2019193758.tif 000014
【図１３】
2019193758.tif 000015
【図１４】
2019193758.tif 000016
【図１５】
2019193758.tif 000017
【図１６】
2019193758.tif 000018
【図１７】
2019193758.tif 000019
【図１８】
2019193758.tif 000020
【図１９】
2019193758.tif 000021
【図２０】
2019193758.tif 000022
【図２１】
2019193758.tif 000023
【図２２】
2019193758.tif 000024
【図２３】
2019193758.tif 000025
【図２４】
2019193758.tif 000026
【図２５】
2019193758.tif 000027
【図２６】
2019193758.tif 000028
【図２７】
2019193758.tif 000029
【図２８】
2019193758.tif 000030
【図２９】
2019193758.tif 000031
【図３０】
2019193758.tif 000032
【図３１】
2019193758.tif 000033
【図３２】
2019193758.tif 000034
【図３３】
2019193758.tif 000035
【図３４】
2019193758.tif 000036
【図３５】
2019193758.tif 000037
【図３６】
2019193758.tif 000038
【図３７】
2019193758.tif 000039
【図３８】
2019193758.tif 000040
【図３９】
2019193758.tif 000041
【図４０】
2019193758.tif 000042
【図４１】
2019193758.tif 000043
【図４２】
2019193758.tif 000044
【図４３】
2019193758.tif 000045
【図４４】
2019193758.tif 000046
【図４５】
2019193758.tif 000047
【図４６】
2019193758.tif 000048
【図４７】
2019193758.tif 000049
【図４８】
2019193758.tif 000050
【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
挟持部又は取っ手の付いた台座に固定された挟持部と、入り口から端部にかけて天井がテーパ状に狭くなる挟持部の挟持体と、シート材に包まれ、シート材上に挟持部の挟持体を係止するストッパ部のストッパ、ひもがその中を通ることで、ストッパ部のストッパとの間で力の伝達が行われると同時に、ストッパ留めによりストッパ部のストッパの係止が行われるストッパ部の接続部、ひもの長さ方向の自由な位置に移動、係止が可能で、少なくとも一つの他のストッパ部の接続部を経由した後、起点のストッパ部の接続部を経由するひもに対し、起点のストッパ部の接続部から見て、一つ前のストッパ部の接続部とは反対側のひもの長さ方向に位置するストッパ留め、片方の端部が起点のストッパ部の接続部に固定され、少なくとも一つの他のストッパ部の接続部を経由し、再び起点のストッパ部の接続部に戻ってきた後、ストッパ留めで係止されることで、シート材にくるまれたストッパ部のストッパが、挟持部の挟持体のテーパ状に狭くなった所でくさび効果により挟持、係止されるときに使われるひもから構成され、挟持部の挟持体のテーパの狭くなった端部が、互いに向き合うように配置されることを特徴とするくさび効果型向合い把持具。
【請求項２】
特許請求項1のくさび効果型向合い把持具を備えることを特徴とする自在把持用具。